(57)【要約】【課題】複数の電気機器に対する電力の供給を効率的に制御することが可能な利便性の高い電力供給制御システム等を提供する。【解決手段】第１スイッチ１１０１は、電源から第１電気機器に電力を供給する第１経路上に配置される。第２操作受付部１１０３は、第１電気機器と第２電気機器とに対する電力の供給を制御するための操作を受け付ける。送信部１１０５は、第２操作受付部１１０３により受け付けられた操作に基づく制御情報を送信する。第２スイッチ１２０１は、電源から前記第２電気機器に電力を供給する第２経路上に配置される。受信部１２０２は、第１スイッチ装置から送信された制御情報を受信する。第２制御部１２０３は、受信部１２０２により受信された制御情報に基づいて第２スイッチ１２０１の状態を制御する。【選択図】図８
2015216767.tif 000002
【特許請求の範囲】
【請求項１】
電源から第１電気機器に電力を供給する第１経路上に配置された第１スイッチと、前記第１電気機器に対する電力の供給を制御するための操作を受け付ける第１操作受付部と、前記第１電気機器と第２電気機器とに対する電力の供給を制御するための操作を受け付ける第２操作受付部と、前記第１操作受付部により受け付けられた操作と前記第２操作受付部により受け付けられた操作とに基づいて前記第１スイッチの状態を制御する第１制御部と、前記第２操作受付部により受け付けられた操作に基づく制御情報を送信する送信部と、を備える第１スイッチ装置と、
前記電源から前記第２電気機器に電力を供給する第２経路上に配置された第２スイッチと、前記第１スイッチ装置から送信された制御情報を受信する受信部と、前記受信部により受信された制御情報に基づいて前記第２スイッチの状態を制御する第２制御部と、を備える第２スイッチ装置と、を備える、
ことを特徴とする電力供給制御システム。
【請求項２】
前記第２スイッチ装置は、前記第２電気機器に対する電力の供給を制御するための操作を受け付ける第３操作受付部をさらに備え、
前記第２スイッチ装置が備える前記第２制御部は、前記第３操作受付部により受け付けられた操作と前記受信部により受信された制御情報とに基づいて前記第２スイッチの状態を制御する、
ことを特徴とする請求項１に記載の電力供給制御システム。
【請求項３】
前記第１スイッチ装置は、前記第１スイッチの初期状態を示す第１初期状態情報を記憶する第１記憶部をさらに備え、
前記第２スイッチ装置は、前記第２スイッチの初期状態を示す第２初期状態情報を記憶する第２記憶部をさらに備え、
前記第１スイッチ装置が備える前記第２操作受付部は、初期状態への移行を指示する初期状態移行指示操作を受け付け、
前記第１スイッチ装置が備える前記第１制御部は、前記第２操作受付部により前記初期状態移行指示操作が受け付けられた場合、前記第１記憶部に記憶されている前記第１初期状態情報に基づいて、前記第１スイッチの初期状態になるように前記第１スイッチの状態を制御し、
前記第２スイッチ装置が備える前記第２制御部は、前記受信部により受信された制御情報が前記初期状態移行指示操作に基づく制御情報である場合、前記第２記憶部に記憶されている前記第２初期状態情報に基づいて、前記第２スイッチの初期状態になるように前記第２スイッチの状態を制御する、
ことを特徴とする請求項２に記載の電力供給制御システム。
【請求項４】
前記第１スイッチ装置が備える前記第２操作受付部は、前記初期状態移行指示操作を受け付ける前に、特定状態への移行を指示する特定状態移行指示操作を受け付け、
前記第１スイッチ装置が備える前記第１制御部は、前記第２操作受付部により前記特定状態移行指示操作が受け付けられた場合、前記第１スイッチの状態を示す情報を前記第１初期状態情報として前記第１記憶部に記憶するとともに、前記第１スイッチの特定状態になるように前記第１スイッチの状態を制御し、
前記第２スイッチ装置が備える前記第２制御部は、前記受信部により受信された制御情報が前記特定状態移行指示操作に基づく制御情報である場合、前記第２スイッチの状態を示す情報を前記第２初期状態情報として前記第２記憶部に記憶するとともに、前記第２スイッチの特定状態になるように前記第２スイッチの状態を制御する、
ことを特徴とする請求項３に記載の電力供給制御システム。
【請求項５】
前記第１スイッチ装置と前記第２スイッチ装置とのそれぞれと通信する機能を有する制御装置をさらに備え、
前記第１スイッチ装置が備える前記送信部は、前記第２操作受付部により受け付けられた操作に基づく制御情報を、前記制御装置を介して、前記第２スイッチ装置に送信する、
ことを特徴とする請求項１から４のいずれか１項に記載の電力供給制御システム。
【請求項６】
前記第２経路上に配置された第３スイッチと、前記第２電気機器に対する電力の供給を制御するための操作を受け付ける第４操作受付部と、を備える第３スイッチ装置をさらに備える、
ことを特徴とする請求項１に記載の電力供給制御システム。
【請求項７】
電源から第１電気機器に電力を供給する第１経路上に配置された第１スイッチを備える第１スイッチ装置と、前記電源から第２電気機器に電力を供給する第２経路上に配置された第２スイッチを備える第２スイッチ装置と、を備える電力供給制御システムが実行する電力供給制御方法であって、
前記第１スイッチ装置が、前記第１電気機器に対する電力の供給を制御するための操作を受け付ける第１操作受付ステップと、
前記第１スイッチ装置が、前記第１電気機器と前記第２電気機器とに対する電力の供給を制御するための操作を受け付ける第２操作受付ステップと、
前記第１スイッチ装置が、前記第１操作受付ステップで受け付けられた操作と前記第２操作受付ステップで受け付けられた操作とに基づいて前記第１スイッチの状態を制御する第１制御ステップと、
前記第１スイッチ装置が、前記第２操作受付ステップで受け付けられた操作に基づく制御情報を送信する送信ステップと、
前記第２スイッチ装置が、前記送信ステップで送信された制御情報を受信する受信ステップと、
前記第２スイッチ装置が、前記受信ステップで受信された制御情報に基づいて前記第２スイッチの状態を制御する第２制御ステップと、を備える、
ことを特徴とする電力供給制御方法。
【発明の詳細な説明】
【技術分野】
【０００１】
本発明は、複数の電気機器に対する電力の供給を制御する電力供給制御システム、及び、電力供給制御方法に関する。
【背景技術】
【０００２】
宅内に設置された複数の電気機器（例えば、照明機器）のそれぞれに対して壁スイッチが設けられることがある。この場合、電気機器毎に設けられた壁スイッチを操作することにより、電気機器毎に電力の供給を制御することができる。一方、複数の電気機器に対する電力の供給を、一括して制御するなどして効率的に制御したいことがある。この場合、電源（例えば、商用電源や太陽光発電パネル）から複数の電気機器への電力の供給を、端末装置などによる遠隔操作により一括して制御する方法が考えられる。
【０００３】
例えば、特許文献１には、照明機器の動作状態を、壁スイッチ部に対する手動操作と遠隔操作用スイッチ部に対する遠隔操作との双方により切り替える動作状態制御システムが開示されている。
【先行技術文献】
【特許文献】
【０００４】
【特許文献１】特開２００４−１４７０６５号公報
【発明の概要】
【発明が解決しようとする課題】
【０００５】
しかしながら、特許文献１に開示された動作状態制御システムでは、ユーザは、遠隔操作を実行するために端末装置を操作する必要があり、ユーザの利便性の向上が期待できなかった。このため、複数の電気機器に対する電力の供給を効率的に制御することが可能な利便性の高い電力供給制御システムが望まれている。
【０００６】
本発明は、上記問題に鑑みてなされたものであり、複数の電気機器に対する電力の供給を効率的に制御することが可能な利便性の高い電力供給制御システム、及び、電力供給制御方法を提供することを目的とする。
【課題を解決するための手段】
【０００７】
上記目的を達成するために、本発明に係る電力供給制御システムは、
電源から第１電気機器に電力を供給する第１経路上に配置された第１スイッチと、前記第１電気機器に対する電力の供給を制御するための操作を受け付ける第１操作受付部と、前記第１電気機器と第２電気機器とに対する電力の供給を制御するための操作を受け付ける第２操作受付部と、前記第１操作受付部により受け付けられた操作と前記第２操作受付部により受け付けられた操作とに基づいて前記第１スイッチの状態を制御する第１制御部と、前記第２操作受付部により受け付けられた操作に基づく制御情報を送信する送信部と、を備える第１スイッチ装置と、
前記電源から前記第２電気機器に電力を供給する第２経路上に配置された第２スイッチと、前記第１スイッチ装置から送信された制御情報を受信する受信部と、前記受信部により受信された制御情報に基づいて前記第２スイッチの状態を制御する第２制御部と、を備える第２スイッチ装置と、を備える、
ことを特徴とする。
【発明の効果】
【０００８】
本発明では、電源から第１電気機器に電力を供給する第１経路上に配置された第１スイッチを備える第１スイッチ装置から送信された制御情報に基づいて、第２スイッチ装置が備える、電源から第２電気機器に電力を供給する第２経路上に配置された第２スイッチの状態が制御される。従って、本発明によれば、複数の電気機器に対する電力の供給を効率的に制御することが可能な利便性の高い電力供給制御システム等を提供することができる。
【図面の簡単な説明】
【０００９】
【図１】本発明の実施形態１に係る電力供給制御システムの構成図である。
【図２】送信機能を有するスイッチ装置の構成図である。
【図３】操作部の外観図である。
【図４】受信機能を有するスイッチ装置の構成図である。
【図５】通信機能を有しないスイッチ装置の構成図である。
【図６】受信機能を有するブレーカの構成図である。
【図７】制御装置の構成図である。
【図８】本発明の実施形態１に係る電力供給制御システムの機能を示す第１の図である。
【図９】本発明の実施形態１に係る電力供給制御システムの機能を示す第２の図である。
【図１０】本発明の実施形態２に係る電力供給制御システムが有する、送信機能を有するスイッチ装置の構成図である。
【図１１】本発明の実施形態２に係る電力供給制御システムが有する、受信機能を有するスイッチ装置の構成図である。
【図１２】本発明の実施形態２に係る電力供給制御システムの機能を示す図である。
【発明を実施するための形態】
【００１０】
以下、本発明の実施形態を、図面を参照して説明する。
【００１１】
（実施形態１）
まず、本発明の実施形態１に係る電力供給制御システム１０００について説明する。電力供給制御システム１０００は、電源から電気機器への電力の供給を制御するシステムである。電力供給制御システム１０００は、基本的に、電源から電気機器に電力を供給する経路上に設けられたスイッチ装置の状態を制御することにより、電力の供給を制御する。本実施形態では、電源は商用電源（交流電源）であり、電気機器は照明機器であるものとして説明する。
【００１２】
図１に示すように、電力供給制御システム１０００は、スイッチ装置１１０、スイッチ装置１２０、スイッチ装置１３０、スイッチ装置１４０、電源２００、照明機器３１１、照明機器３１２、照明機器３２１、照明機器３２２、照明機器３３１、照明機器３３２、照明機器３４１、照明機器３４２、ブレーカ４２０、ブレーカ４３０、制御装置５００、配電回路６１０、配電回路６２０、配電回路６３０、配電回路６４０を備える。
【００１３】
スイッチ装置１１０は、配電回路６１０に接続された照明機器（照明機器３１１、照明機器３１２）に対する電力の供給を制御する。また、スイッチ装置１１０は、他のスイッチ装置に対して制御信号を送信する機能を有する。以下、図２を参照して、スイッチ装置１１０の構成について説明する。図２に示すように、スイッチ装置１１０は、電源部１１１、制御部１１２、無線通信部１１３、表示部１１４、スイッチ部１１５、操作部１１６を備える。
【００１４】
電源部１１１は、配電回路６１０に接続される。つまり、電源部１１１は、電線Ｌ１と電線Ｎ１とに接続される。電源部１１１は、配電回路６１０から供給された交流電力を、適宜、整流・変圧し、所望の直流電力を生成する。電源部１１１は、生成した直流電力を、スイッチ装置１１０が備える各モジュール（制御部１１２、無線通信部１１３、表示部１１４）に供給する。電源部１１１は、例えば、ＡＣ／ＤＣ（Alternate Current/ Direct Current）コンバータを備える。
【００１５】
制御部１１２は、スイッチ装置１１０の全体の動作を制御する。例えば、制御部１１２は、操作部１１６から供給された信号に基づいて、スイッチ部１１５を制御することができる。また、制御部１１２は、操作部１１６から供給された信号に基づく制御情報を、無線通信部１１３を介して、他のスイッチ装置に送信することができる。また、制御部１１２は、スイッチ部１１５の制御状況を示す情報を、表示部１１４に表示することができる。制御部１１２は、例えば、ＣＰＵ（Central Processing Unit）、ＲＯＭ（Read Only Memory）、ＲＡＭ（Random Access Memory）、ＲＴＣ（Real Time Clock）などを備える。
【００１６】
無線通信部１１３は、制御部１１２による制御に従って、制御装置５００を介して、他のスイッチ装置と通信する。無線通信部１１３は、アンテナと無線回路とを備える。アンテナとして、例えば、構造が単純であるダイポールアンテナ、基板上に実装可能なパターンアンテナを採用することができる。無線回路は、送信回路と受信回路とを備える。無線通信方式は、例えば、ＷｉＦｉ（Wireless Fidelity）、Ｂｌｕｅｔｏｏｔｈ（登録商標）、Ｚｉｇｂｅｅ（登録商標）などの通信方式である。本実施形態では、ＷｉＦｉを採用し、ＷＰＳ（WiFi-Protected Setup）により、ＷｉＦｉの設定が可能であるものとする。なお、操作部１１６が備えるボタン１１６３が押圧されると、ＷＰＳによる設定が開始される。
【００１７】
表示部１１４は、制御部１１２による制御に従って、種々の情報を表示する。例えば、表示部１１４は、ＬＥＤ（Light Emitting Diode）を備え、点灯の有無や点滅パターンにより、スイッチ部１１５の状態を提示することができる。
【００１８】
スイッチ部１１５は、制御部１１２による制御に従って、配電回路６１０から照明機器３１１や照明機器３１２への電力の供給を制御する。スイッチ部１１５は、スイッチ１１５１、スイッチ１１５２を備える。スイッチ１１５１は、一端が電線Ｌ１に接続され、他端が照明機器３１１に接続される。スイッチ１１５１は、制御部１１２により状態が制御される。スイッチ１１５１が閉状態である間、電線Ｌ１から照明機器３１１に電力が供給され、スイッチ１１５１が開状態である間、電線Ｌ１から照明機器３１１への電力の供給が停止される。スイッチ１１５２は、一端が電線Ｌ１に接続され、他端が照明機器３１２に接続される。スイッチ１１５２は、制御部１１２により状態が制御される。スイッチ１１５２が閉状態である間、電線Ｌ１から照明機器３１２に電力が供給され、スイッチ１１５２が開状態である間、電線Ｌ１から照明機器３１２への電力の供給が停止される。スイッチ１１５１やスイッチ１１５２は、リレーやトライアックなどの電動スイッチにより構成される。
【００１９】
操作部１１６は、ユーザからの操作を受け付けるボタン（スイッチ）を備える。具体的には、操作部１１６は、ボタン１１６１、ボタン１１６２、ボタン１１６３、ボタン１１６４を備える。ボタン１１６１は、スイッチ１１５１の状態を切り換えるためのボタンである。ボタン１１６２は、スイッチ１１５２の状態を切り換えるためのボタンである。ボタン１１６３は、無線通信部１１３の通信設定を開始するためのボタンである。つまり、ボタン１１６３が押圧されたことに応答して、無線通信部１１３による通信設定が開始される。ボタン１１６４は、おでかけモードの設定を切り替えるためのボタンである。つまり、ボタン１１６４が押圧されたことに応答して、おでかけモードが設定（又は、解除）される。本実施形態では、ボタン１１６１、ボタン１１６２、ボタン１１６４は、位置保持型スイッチであり、ボタン１１６３は、自動復帰型スイッチであるものとする。位置保持型スイッチとして、ロッカースイッチやスライド式スイッチがあり、自動復帰型スイッチとして、モーメンタリスイッチがある。
【００２０】
図３に操作部１１６の外観を示す。操作部１１６は、壁に埋め込まれた埋込配線用スイッチボックスに取り付けられる。このスイッチボックスとして、例えば、ＪＩＳで規定されている３個用（３連スイッチ用）のスイッチボックスや４個用（４連スイッチ用）のスイッチボックスを採用することができる。
【００２１】
次に、図４を参照して、スイッチ装置１２０の構成について説明する。なお、スイッチ装置１２０は、おでかけモードの設定を切り替えるためのボタンを備えていない点を除き、基本的に、スイッチ装置１１０と同様の構成である。図４に示すように、スイッチ装置１２０は、電源部１２１、制御部１２２、無線通信部１２３、表示部１２４、スイッチ部１２５、操作部１２６を備える。
【００２２】
電源部１２１は、配電回路６２０に接続される。つまり、電源部１２１は、電線Ｌ２と電線Ｎ２とに接続される。電源部１２１は、配電回路６２０から供給された交流電力を、適宜、整流・変圧し、所望の直流電力を生成する。電源部１２１は、生成した直流電力を、スイッチ装置１２０が備える各モジュール（制御部１２２、無線通信部１２３、表示部１２４）に供給する。電源部１２１は、基本的に、電源部１１１と同様の構成である。
【００２３】
制御部１２２は、スイッチ装置１２０の全体の動作を制御する。例えば、制御部１２２は、操作部１２６から供給された信号に基づいて、スイッチ部１２５を制御することができる。また、制御部１２２は、無線通信部１２３を介して、スイッチ装置１１０から受信した制御情報に基づいて、スイッチ部１２５を制御することができる。また、制御部１２２は、スイッチ部１２５の制御状況を示す情報を、表示部１２４に表示することができる。制御部１２２は、基本的に、制御部１１２と同様の構成である。
【００２４】
無線通信部１２３は、制御部１２２による制御に従って、制御装置５００を介して、他のスイッチ装置と通信する。なお、操作部１２６が備えるボタン１２６３が押圧されると、ＷＰＳによる設定が開始される。無線通信部１２３は、基本的に、無線通信部１１３と同様の構成である。
【００２５】
表示部１２４は、制御部１２２による制御に従って、種々の情報を表示する。例えば、表示部１２４は、ＬＥＤを備え、点灯の有無や点滅パターンにより、スイッチ部１２５の状態を提示することができる。表示部１２４は、基本的に、表示部１１４と同様の構成である。
【００２６】
スイッチ部１２５は、制御部１２２による制御に従って、配電回路６２０から照明機器３２１や照明機器３２２への電力の供給を制御する。スイッチ部１２５は、スイッチ１２５１、スイッチ１２５２を備える。スイッチ１２５１は、一端が電線Ｌ２に接続され、他端が照明機器３２１に接続される。スイッチ１２５１は、制御部１２２により状態が制御される。スイッチ１２５１が閉状態である間、電線Ｌ２から照明機器３２１に電力が供給され、スイッチ１２５１が開状態である間、電線Ｌ２から照明機器３２１への電力の供給が停止される。スイッチ１２５２は、一端が電線Ｌ２に接続され、他端が照明機器３２２に接続される。スイッチ１２５２は、制御部１２２により状態が制御される。スイッチ１２５２が閉状態である間、電線Ｌ２から照明機器３２２に電力が供給され、スイッチ１２５２が開状態である間、電線Ｌ２から照明機器３２２への電力の供給が停止される。スイッチ部１２５は、基本的に、スイッチ部１１５と同様の構成である。
【００２７】
操作部１２６は、ユーザからの操作を受け付けるボタン（スイッチ）を備える。具体的には、操作部１２６は、ボタン１２６１、ボタン１２６２、ボタン１２６３を備える。ボタン１２６１は、スイッチ１２５１の状態を切り換えるためのボタンである。ボタン１２６２は、スイッチ１２５２の状態を切り換えるためのボタンである。ボタン１２６３は、無線通信部１２３の通信設定を開始するためのボタンである。つまり、ボタン１２６３が押圧されたことに応答して、無線通信部１２３による通信設定が開始される。操作部１２６は、ボタン１１６３に相当するボタンを備えない点を除き、基本的に、操作部１１６と同様の構成である。
【００２８】
次に、図５を参照して、スイッチ装置１３０の構成について説明する。図５に示すように、スイッチ装置１３０は、スイッチ部１３５、操作部１３６を備える。
【００２９】
スイッチ部１３５は、操作部１３６により受け付けられた操作に従って、配電回路６３０から照明機器３３１や照明機器３３２への電力の供給を制御する。スイッチ部１３５は、スイッチ１３５１、スイッチ１３５２を備える。スイッチ１３５１は、一端が電線Ｌ３に接続され、他端が照明機器３３１に接続される。スイッチ１３５１は、ボタン１３６１により受け付けられた操作に従って、状態が制御される。スイッチ１３５１が閉状態である間、電線Ｌ３から照明機器３３１に電力が供給され、スイッチ１３５１が開状態である間、電線Ｌ３から照明機器３３１への電力の供給が停止される。スイッチ１３５２は、一端が電線Ｌ３に接続され、他端が照明機器３３２に接続される。スイッチ１３５２は、ボタン１３６２により受け付けられた操作に従って、状態が制御される。スイッチ１３５２が閉状態である間、電線Ｌ３から照明機器３３２に電力が供給され、スイッチ１３５２が開状態である間、電線Ｌ３から照明機器３３２への電力の供給が停止される。
【００３０】
操作部１３６は、ユーザからの操作を受け付けるボタン（スイッチ）を備える。具体的には、操作部１３６は、ボタン１３６１、ボタン１３６２を備える。ボタン１３６１は、スイッチ１３５１の状態を切り換えるためのボタンである。ボタン１３６２は、スイッチ１３５２の状態を切り換えるためのボタンである。ボタン１３６１やボタン１３６２は、例えば、位置保持型スイッチである。
【００３１】
スイッチ装置１４０は、基本的に、スイッチ装置１２０と同様の構成である。なお、スイッチ装置１４０は、配電回路６４０から照明機器３４１や照明機器３４２への電力の供給を制御する。
【００３２】
電源２００は、宅内の機器に電力を供給する電源である。電源２００は、例えば、交流電力を供給する商用電源である。電源２００は、太陽光発電や風力発電により電力を供給する電源であってもよいし、蓄電池であってもよい。
【００３３】
照明機器３１１と照明機器３１２とは、配電回路６１０から供給された電力により動作する。例えば、照明機器３１１と照明機器３１２とは、配電回路６１０から電力が供給されている間は点灯し、配電回路６１０から電力が供給されていない間は消灯する。
【００３４】
照明機器３２１と照明機器３２２とは、配電回路６２０から供給された電力により動作する。例えば、照明機器３２１と照明機器３２２とは、配電回路６２０から電力が供給されている間は点灯し、配電回路６２０から電力が供給されていない間は消灯する。
【００３５】
照明機器３３１と照明機器３３２とは、配電回路６３０から供給された電力により動作する。例えば、照明機器３３１と照明機器３３２とは、配電回路６３０から電力が供給されている間は点灯し、配電回路６３０から電力が供給されていない間は消灯する。
【００３６】
照明機器３４１と照明機器３４２とは、配電回路６４０から供給された電力により動作する。例えば、照明機器３４１と照明機器３４２とは、配電回路６４０から電力が供給されている間は点灯し、配電回路６４０から電力が供給されていない間は消灯する。
【００３７】
照明機器３１１、照明機器３１２、照明機器３２１、照明機器３２２、照明機器３３１、照明機器３３２、照明機器３４１、照明機器３４２は、例えば、ダウンライトやシーリングライトなどの家庭用照明機器であり、互いに、同じ種類の機器であってもよいし、異なる種類の機器であってもよい。
【００３８】
ブレーカ４２０は、配電回路６２０を介した電力の供給を制御する。具体的には、ブレーカ４２０は、制御装置５００による制御に従って、電源２００から照明機器３２１や照明機器３２２への電力の供給を遮断する。なお、制御装置５００は、スイッチ装置１１０から受信した制御情報に従って、ブレーカ４２０を制御する。従って、ブレーカ４２０は、制御装置５００を介して、スイッチ装置１１０により制御される。以下、図６を参照して、ブレーカ４２０の構成について説明する。図６に示すように、ブレーカ４２０は、スイッチ部４２１、制御部４２２、受信部４２３を備える。
【００３９】
スイッチ部４２１は、制御部４２２による制御に従って、配電回路６２０を介した電力の供給を制御する。スイッチ部４２１は、スイッチ４２１１、スイッチ４２１２を備える。スイッチ４２１１は、電線Ｌ２に組み込まれ、スイッチ４２１２は、電線Ｎ２に組み込まれる。スイッチ４２１１とスイッチ４２１２とは、制御部４２２により状態が制御される。スイッチ４２１１とスイッチ４２１２との双方が閉状態である間、配電回路６２０を介した電力の供給が可能となる。一方、スイッチ４２１１とスイッチ４２１２とのうちの少なくとも一方が開状態である間、配電回路６２０を介した電力の供給が不可能となる。スイッチ４２１１やスイッチ４２１２は、リレーやトライアックなどの電動スイッチにより構成される。
【００４０】
制御部４２２は、ブレーカ４２０の全体の動作を制御する。例えば、制御部４２２は、受信部４２３が受信した制御情報に基づいて、スイッチ４２１１の状態とスイッチ４２１２の状態とを制御する。制御部４２２は、例えば、ＣＰＵ、ＲＯＭ、ＲＡＭ、ＲＴＣなどを備える。
【００４１】
受信部４２３は、無線通信や有線通信により、制御装置５００から制御情報を受信する。なお、制御装置５００は、スイッチ装置１１０から受信した制御情報を、ブレーカ４２０に送信する。従って、受信部４２３は、制御装置５００を介して、スイッチ装置１１０から制御情報を受信する。
【００４２】
ブレーカ４３０は、配電回路６３０を介した電力の供給を制御する。具体的には、ブレーカ４３０は、制御装置５００による制御に従って、電源２００から照明機器３３１や照明機器３３２への電力の供給を遮断する。なお、制御装置５００は、スイッチ装置１１０から受信した制御情報に従って、ブレーカ４３０を制御する。従って、ブレーカ４３０は、制御装置５００を介して、スイッチ装置１１０により制御される。ブレーカ４３０は、基本的に、ブレーカ４２０と同様の構成である。
【００４３】
なお、ブレーカ４２０やブレーカ４３０は、制御装置５００（スイッチ装置１１０）による制御に従って、電源２００から照明機器への電力の供給を制御する点で、スイッチ装置１２０やスイッチ装置１４０と同様の機能を有する。従って、本実施形態では、ブレーカ４２０やブレーカ４３０を、適宜、スイッチ装置として扱う。
【００４４】
制御装置５００は、宅内に設けられた機器を制御したり監視したりする。具体的には、制御装置５００は、スイッチ装置１１０から受信した制御情報に基づいて、スイッチ装置１２０、スイッチ装置１４０、ブレーカ４２０、ブレーカ４３０を制御する。制御装置５００は、ＷｉＦｉによる無線通信が可能であり、ＷＰＳによる無線設定が可能である。また、制御装置５００は、無線通信や有線通信により、ブレーカ４２０、ブレーカ４３０を制御可能である。制御装置５００は、例えば、ＨＥＭＳ（Home Energy Management System）におけるホームコントローラである。以下、図７を参照して、制御装置５００の構成について説明する。
【００４５】
図７に示すように、制御装置５００は、ＣＰＵ５０１、ＲＯＭ５０２、ＲＡＭ５０３、フラッシュメモリ５０４、ＲＴＣ５０５、宅内インターフェース５０６、宅外インターフェース５０７を備える。制御装置５００が備える各構成要素は、バスを介して相互に接続される。
【００４６】
ＣＰＵ５０１は、制御装置５００の全体の動作を制御する。なお、ＣＰＵ５０１は、ＲＯＭ５０２に格納されているプログラムに従って動作し、ＲＡＭ５０３をワークエリアとして使用する。
【００４７】
ＲＯＭ５０２には、制御装置５００の全体の動作を制御するためのプログラムやデータが記憶される。
【００４８】
ＲＡＭ５０３は、ＣＰＵ５０１のワークエリアとして機能する。つまり、ＣＰＵ５０１は、ＲＡＭ５０３にプログラムやデータを一時的に書き込み、これらのプログラムやデータを適宜参照する。
【００４９】
フラッシュメモリ５０４は、各種の情報を記憶する不揮発性メモリである。
【００５０】
ＲＴＣ５０５は、計時用のデバイスである。ＲＴＣ５０５は、例えば、電池を内蔵し、制御装置５００の電源がオフの間も計時を継続する。ＲＴＣ５０５は、例えば、水晶発振子を備える発振回路を備える。
【００５１】
宅内インターフェース５０６は、制御装置５００を、宅内ネットワークに接続するためのインターフェースである。制御装置５００は、宅内ネットワークを介して、スイッチ装置１１０、スイッチ装置１２０、スイッチ装置１４０、ブレーカ４２０、ブレーカ４３０などと通信することができる。宅内インターフェース５０６は、例えば、ＷｉＦｉによる無線通信が可能なインターフェースを有する。
【００５２】
宅外インターフェース５０７は、制御装置５００を、宅外ネットワークに接続するためのインターフェースである。制御装置５００は、宅外ネットワークを介して、宅外の機器と通信することができる。宅外インターフェース５０７は、ＮＩＣなどのＬＡＮインターフェースを備える。
【００５３】
次に、図８と図９とを参照して、電力供給制御システム１０００の基本的な機能について説明する。なお、電力供給制御システム１０００は、機能的に、図８に示す電力供給制御システム１００１と考えることもできるし、図９に示す電力供給制御システム１００２と考えることもできる。
【００５４】
まず、図８に示す電力供給制御システム１００１について説明する。電力供給制御システム１００１は、第１スイッチ装置１１００、第２スイッチ装置１２００、制御装置１３００を備える。
【００５５】
第１スイッチ装置１１００は、第１スイッチ１１０１、第１操作受付部１１０２、第２操作受付部１１０３、第１制御部１１０４、送信部１１０５を備える。第１スイッチ装置１１００は、例えば、スイッチ装置１１０を備える。
【００５６】
第１スイッチ１１０１は、電源２００から第１電気機器に電力を供給する第１経路上に配置される。第１経路は、例えば、配電回路６１０上の経路である。第１電気機器は、例えば、照明機器３１１や照明機器３１２である。第１スイッチ１１０１は、例えば、スイッチ１１５１やスイッチ１１５２を備える。
【００５７】
第１操作受付部１１０２は、第１電気機器に対する電力の供給を制御するための操作を受け付ける。第１操作受付部１１０２は、例えば、ボタン１１６１やボタン１１６２を備える。
【００５８】
第２操作受付部１１０３は、第１電気機器と第２電気機器とに対する電力の供給を制御するための操作を受け付ける。第２電気機器は、例えば、照明機器３４１や照明機器３４２である。第２操作受付部１１０３は、例えば、ボタン１１６４を備える。
【００５９】
第１制御部１１０４は、第１操作受付部１１０２により受け付けられた操作と第２操作受付部１１０３により受け付けられた操作とに基づいて第１スイッチ１１０１の状態を制御する。第１制御部１１０４は、例えば、制御部１１２を備える。
【００６０】
送信部１１０５は、第２操作受付部１１０３により受け付けられた操作に基づく制御情報を送信する。送信部１１０５は、例えば、無線通信部１１３を備える。
【００６１】
第２スイッチ装置１２００は、第２スイッチ１２０１、受信部１２０２、第２制御部１２０３、第３操作受付部１２０４を備える。第２スイッチ装置１２００は、例えば、スイッチ装置１４０を備える。
【００６２】
第２スイッチ１２０１は、電源２００から第２電気機器に電力を供給する第２経路上に配置される。第２経路は、例えば、配電回路６４０上の経路である。第２電気機器は、例えば、照明機器３４１や照明機器３４２である。第２スイッチ１２０１は、例えば、スイッチ装置１４０が備える、スイッチ１２５１やスイッチ１２５２に対応する構成を備える。
【００６３】
受信部１２０２は、第１スイッチ装置１１００から送信された制御情報を受信する。受信部１２０２は、例えば、スイッチ装置１４０が備える、無線通信部１２３に対応する構成を備える。
【００６４】
第２制御部１２０３は、受信部１２０２により受信された制御情報に基づいて第２スイッチ１２０１の状態を制御する。第２制御部１２０３は、例えば、スイッチ装置１４０が備える、制御部１２２に対応する構成を備える。
【００６５】
第３操作受付部１２０４は、第２電気機器に対する電力の供給を制御するための操作を受け付ける。第３操作受付部１２０４は、例えば、スイッチ装置１４０が備える、ボタン１２６１やボタン１２６２に対応する構成を備える。
【００６６】
ここで、第２スイッチ装置１２００が備える第２制御部１２０３は、第３操作受付部１２０４により受け付けられた操作と受信部１２０２により受信された制御情報とに基づいて第２スイッチ１２０１の状態を制御する。
【００６７】
制御装置１３００は、第１スイッチ装置１１００と第２スイッチ装置１２００とのそれぞれと通信する機能を有する。制御装置１３００は、例えば、制御装置５００を備える。
【００６８】
ここで、第１スイッチ装置１１００が備える送信部１１０５は、第２操作受付部１１０３により受け付けられた操作に基づく制御情報を、制御装置１３００を介して、第２スイッチ装置１２００に送信する。
【００６９】
電力供給制御システム１００１によれば、第１経路（例えば、配電回路６１０上の経路）上に配置されたスイッチを有するスイッチ装置（例えば、スイッチ装置１１０）から、第２経路（例えば、配電回路６４０上の経路）上に配置されたスイッチを有するスイッチ装置（例えば、スイッチ装置１４０）を制御することにより、第２経路を介した電力の供給を制御することが可能となる。この場合、第２経路上に受信機能を有するブレーカが配置されていなくても、第２経路を介した電力の供給を制御することが可能となる。
【００７０】
次に、図９に示す電力供給制御システム１００２について説明する。電力供給制御システム１００２は、第１スイッチ装置１１００、第２スイッチ装置１２１０、制御装置１３００、第３スイッチ装置１４００を備える。なお、電力供給制御システム１００２が備える第１スイッチ装置１１００は、電力供給制御システム１００１が備える第１スイッチ装置１１００と同様の機能を有するため説明を省略する。また、電力供給制御システム１００２が備える制御装置１３００は、電力供給制御システム１００１が備える制御装置１３００と同様の機能を有するため説明を省略する。
【００７１】
第２スイッチ装置１２１０は、第２スイッチ１２０１、受信部１２０２、第２制御部１２０３を備える。第２スイッチ装置１２００は、例えば、ブレーカ４３０を備える。
【００７２】
第２スイッチ１２０１は、電源２００から第２電気機器に電力を供給する第２経路上に配置される。第２経路は、例えば、配電回路６３０上の経路である。第２電気機器は、例えば、照明機器３３１や照明機器３３２である。第２スイッチ１２０１は、例えば、ブレーカ４３０が備える、スイッチ４２１１やスイッチ４２１２に対応する構成を備える。
【００７３】
受信部１２０２は、第１スイッチ装置１１００から送信された制御情報を受信する。受信部１２０２は、例えば、ブレーカ４３０が備える、受信部４２３に対応する構成を備える。
【００７４】
第２制御部１２０３は、受信部１２０２により受信された制御情報に基づいて第２スイッチ１２０１の状態を制御する。第２制御部１２０３は、例えば、ブレーカ４３０が備える、制御部４２２に対応する構成を備える。
【００７５】
第３スイッチ装置１４００は、第３スイッチ１４０１、第４操作受付部１４０２を備える。第３スイッチ装置１４００は、例えば、スイッチ装置１３０を備える。
【００７６】
第３スイッチ１４０１は、第２経路上に配置される。つまり、第３スイッチ１４０１は、第２スイッチ１２０１と同様に、第２経路上に配置される。第３スイッチ１４０１は、例えば、スイッチ装置１３０が備えるスイッチ１３５１やスイッチ１３５２を備える。
【００７７】
第４操作受付部１４０２は、第２電気機器に対する電力の供給を制御するための操作を受け付ける。第４操作受付部１４０２は、例えば、スイッチ装置１３０が備えるボタン１３６１やボタン１３６２を備える。
【００７８】
電力供給制御システム１００２によれば、第１経路（例えば、配電回路６１０上の経路）上に配置されたスイッチを有するスイッチ装置（例えば、スイッチ装置１１０）から、第２経路（例えば、配電回路６３０上の経路）上に配置されたスイッチを有するスイッチ装置（例えば、ブレーカ４３０）を制御することにより、第２経路を介した電力の供給を制御することが可能となる。この場合、第２経路上にスイッチを有する他のスイッチ装置であるスイッチ装置１３０が受信機能を有していなくても、第２経路を介した電力の供給を制御することが可能となる。
【００７９】
次に、電力供給制御システム１０００の動作について具体的に説明する。本実施形態では、スイッチ装置１１０が備えるボタン１１６４の状態に応じて、おでかけモードと通常モードとが切り替えられるものとする。ここで、おでかけモードに設定されている間、屋内の全ての照明機器は、強制的にオフにされるものとする。一方、通常モードに設定されている間、屋内の全ての照明機器は、各スイッチ装置が備えるボタンによりオン・オフが可能であるものとする。
【００８０】
まず、通常モードに設定されているときのスイッチ装置１１０の動作について説明する。なお、スイッチ装置１１０の動作は、基本的に、制御部１１２により実行される。
【００８１】
制御部１１２は、ボタン１１６１の状態に応じて、スイッチ１１５１の状態を制御する。また、制御部１１２は、ボタン１１６２の状態に応じて、スイッチ１１５２の状態を制御する。ここで、制御部１１２は、スイッチ１１５１の状態やスイッチ１１５２の状態を示す情報を、表示部１１４に表示させる。また、制御部１１２は、スイッチ１１５１の状態やスイッチ１１５２の状態を示す情報を、無線通信部１１３を介して、制御装置５００に送信する。
【００８２】
制御部１１２は、ボタン１１６３が押圧されたことを検知すると、ＷＰＳによる無線設定を開始する。これにより、スイッチ装置１１０と制御装置５００との間で、無線通信が可能となる。
【００８３】
制御部１１２は、ボタン１１６４がおでかけモードを示す状態に切り替えられたことを検知した場合、スイッチ部１１５に接続されている全ての照明機器をオフにする。つまり、制御部１１２は、スイッチ１１５１の状態をオープン状態にして照明機器３１１をオフし、スイッチ１１５２の状態をオープン状態にして照明機器３１２をオフする。また、制御部１１２は、おでかけモードに移行した旨を、無線通信部１１３を介して、制御装置５００に通知する。
【００８４】
次に、おでかけモードに設定されているときのスイッチ装置１１０の動作について説明する。
【００８５】
制御部１１２は、おでかけモードに設定されている間、ボタン１１６１の状態にかかわらず、スイッチ１１５１をオープン状態にする。また、制御部１１２は、おでかけモードに設定されている間、ボタン１１６２の状態にかかわらず、スイッチ１１５２をオープン状態にする。つまり、制御部１１２は、おでかけモードに設定されている間、ボタン１１６１やボタン１１６２に対する操作を受け付けない。
【００８６】
制御部１１２は、おでかけモードに設定されている間、通常モードに設定されている間と同様に、ボタン１１６３が押圧されたことを検知すると、ＷＰＳによる無線設定を開始する。
【００８７】
制御部１１２は、ボタン１１６４が通常モードを示す状態に切り替えられたことを検知した場合、ボタン１１６１の状態に応じてスイッチ１１５１の状態を制御し、ボタン１１６２の状態に応じてスイッチ１１５２の状態を制御する。また、制御部１１２は、通常モードに移行した旨を、無線通信部１１３を介して、制御装置５００に通知する。
【００８８】
次に、スイッチ装置１１０からおでかけモードに移行した旨を通知されたときの制御装置５００の動作について説明する。なお、制御装置５００の動作は、基本的に、ＣＰＵ５０１により実行される。
【００８９】
まず、ＣＰＵ５０１は、ブレーカ４２０とブレーカ４３０とに対して、電力の供給の停止を指示する。具体的には、ＣＰＵ５０１は、宅内インターフェース５０６を介して、電力の供給の停止を指示する制御信号を、ブレーカ４２０とブレーカ４３０とに送信する。一方、ブレーカ４２０は、この制御信号を受信したことに応答して、配電回路６２０を介した照明機器３２１と照明機器３２２とへの電力の供給を停止する。具体的には、制御部４２２は、この制御信号が受信部４２３により受信されたことに応答して、スイッチ４２１１とスイッチ４２１２とをオープン状態にする。同様に、ブレーカ４３０は、この制御信号を受信したことに応答して、配電回路６３０を介した照明機器３３１と照明機器３３２とへの電力の供給を停止する。これにより、照明機器３２１と照明機器３２２と照明機器３３１と照明機器３３２とが消灯する。
【００９０】
また、ＣＰＵ５０１は、スイッチ装置１４０に対して、おでかけモードに移行した旨を通知する。具体的には、ＣＰＵ５０１は、宅内インターフェース５０６を介して、おでかけモードに移行した旨を示す制御情報を、スイッチ装置１４０に送信する。なお、後述するように、スイッチ装置１４０は、この制御情報を受信したことに応答して、配電回路６４０を介した照明機器３４１と照明機器３４２とへの電力の供給を停止する。
【００９１】
次に、スイッチ装置１１０から通常モードに移行した旨を通知されたときの制御装置５００の動作について説明する。
【００９２】
まず、ＣＰＵ５０１は、ブレーカ４２０とブレーカ４３０とに対して、電力の供給の開始を指示する。具体的には、ＣＰＵ５０１は、宅内インターフェース５０６を介して、電力の供給の開始を指示する制御信号を、ブレーカ４２０とブレーカ４３０とに送信する。一方、ブレーカ４２０は、この制御信号を受信したことに応答して、配電回路６２０を介した照明機器３２１と照明機器３２２とへの電力の供給を開始する。具体的には、制御部４２２は、この制御信号が受信部４２３により受信されたことに応答して、スイッチ４２１１とスイッチ４２１２とをオープン状態にする。同様に、ブレーカ４３０は、この制御信号を受信したことに応答して、配電回路６３０を介した照明機器３３１と照明機器３３２とへの電力の供給を開始する。これにより、照明機器３２１と照明機器３２２と照明機器３３１と照明機器３３２とが対応するボタンに応じた状態となる。
【００９３】
また、ＣＰＵ５０１は、スイッチ装置１４０に対して、通常モードに移行した旨を通知する。具体的には、ＣＰＵ５０１は、宅内インターフェース５０６を介して、通常モードに移行した旨を示す制御情報を、スイッチ装置１４０に送信する。なお、後述するように、スイッチ装置１４０は、この制御情報を受信したことに応答して、対応するボタンの状態に応じて、配電回路６４０を介した照明機器３４１と照明機器３４２とへの電力の供給を開始する。
【００９４】
次に、通常モードに設定されているときのスイッチ装置１２０の動作について説明する。なお、スイッチ装置１２０の動作は、基本的に、制御部１２２により実行される。
【００９５】
制御部１２２は、ボタン１２６１の状態に応じて、スイッチ１２５１の状態を制御する。また、制御部１２２は、ボタン１２６２の状態に応じて、スイッチ１２５２の状態を制御する。ここで、制御部１２２は、スイッチ１２５１の状態やスイッチ１２５２の状態を示す情報を、表示部１２４に表示させる。また、制御部１２２は、スイッチ１２５１の状態やスイッチ１２５２の状態を示す情報を、無線通信部１２３を介して、制御装置５００に送信する。
【００９６】
制御部１２２は、ボタン１２６３が押圧されたことを検知すると、ＷＰＳによる無線設定を開始する。これにより、スイッチ装置１２０と制御装置５００との間で、無線通信が可能となる。
【００９７】
次に、おでかけモードに設定されているときのスイッチ装置１２０の動作について説明する。
【００９８】
おでかけモードに設定されている間、スイッチ装置１２０が備える電源部１２１には、電力が供給されない。従って、おでかけモードに設定されている間、スイッチ装置１２０は、一切の動作を停止する。
【００９９】
通常モードに設定されている間におけるスイッチ装置１４０の動作は、基本的に、通常モードに設定されている間におけるスイッチ装置１２０の動作と同様である。ただし、スイッチ装置１４０は、通常モードに設定されているときに、制御装置５００からおでかけモードに移行する旨の通知を受けた場合、以下に示すように動作する。
【０１００】
つまり、スイッチ装置１４０は、制御装置５００からおでかけモードに移行する旨の通知を受けた場合、配電回路６４０に接続された照明機器３４１及び照明機器３４２への電力の供給を停止し、おでかけモードに移行する。
【０１０１】
次に、おでかけモードに設定されているときのスイッチ装置１４０の動作について説明する。
【０１０２】
スイッチ装置１４０は、照明機器３４１や照明機器３４２への電力の供給を指示するためのボタン（ボタン１２６１に相当するボタンやボタン１２６２に相当するボタン）に対する操作を受け付けない。
【０１０３】
一方、スイッチ装置１４０は、おでかけモードに設定されている間、通常モードに設定されている間と同様に、ＷＰＳによる無線設定を開始するための操作を受け付ける。つまり、スイッチ装置１４０は、（ボタン１２６３に相当するボタン）が押圧されたことを検知すると、ＷＰＳによる無線設定を開始する。
【０１０４】
また、スイッチ装置１４０は、制御装置５００から通常モードに移行する旨の通知を受けた場合、通常モードに移行する。
【０１０５】
本実施形態では、配電回路６１０による電力の供給を制御するスイッチ装置１１０に対する操作（おでかけモードへの移行を指示する操作）に応じて、他の配電回路（配電回路６２０、配電回路６３０、配電回路６４０）による電力の供給が制御される。例えば、ユーザは、玄関に設置されているスイッチ装置１１０に対する操作によりおでかけモードに設定するだけで、屋内に設置された全ての照明機器を確実に消灯させることが可能となる。このように、本実施形態によれば、ユーザの負担を最小限に留めつつ、複数の電気機器に対する電力の供給を効率的に制御することができる。
【０１０６】
なお、本実施形態では、スイッチ装置１１０は、スイッチ装置１２０やスイッチ装置１４０の状態のみならず、ブレーカ４２０やブレーカ４３０の状態をも制御することができる。従って、例えば、スイッチ装置１１０は、スイッチ装置１３０の状態を制御できなくとも、ブレーカ４３０の状態を制御することで、スイッチ装置１３０により電力の供給が制御される電気機器への電力の供給を制御することができる。つまり、通信機能（受信機能）を有するブレーカ４３０と通信機能を有しないスイッチ装置１３０とが存在している場合、スイッチ装置１３０に通信機能を持たせずに、スイッチ装置１３０により電力の供給が制御される電気機器への電力の供給を制御することができる。このように、本実施形態によれば、既存の設備を有効活用して、電気機器に対する電力の供給を包括的に制御するためのシステム構築のコストを低減することができる。
【０１０７】
（実施形態２）
次に、本発明の実施形態２に係る電力供給制御システム１００３について説明する。電力供給制御システム１００３は、スイッチ装置が記憶部を備える点、並びに、照明機器の状態を制御するためのボタンが位置保持型スイッチではなく自動復帰型スイッチである点を除き、電力供給制御システム１０００と同様の構成である。以下、電力供給制御システム１００３が電力供給制御システム１０００と異なる点について説明する。
【０１０８】
電力供給制御システム１００３は、記憶部１１７を備えたスイッチ装置１１０（スイッチ装置１１９）、記憶部１２７を備えたスイッチ装置１２０（スイッチ装置１２９）、図示しない記憶部を備えたスイッチ装置１４０を備える。
【０１０９】
図１０に示すように、スイッチ装置１１９は、電源部１１１、制御部１１２、無線通信部１１３、表示部１１４、スイッチ部１１５、操作部１１６に加え、記憶部１１７を備える。
【０１１０】
記憶部１１７は、通常モードからおでかけモードに切り替わる直前のスイッチ部１１５の状態を初期状態として記憶する。本実施形態では、照明機器の状態を制御するためのボタンが位置保持型スイッチではなく自動復帰型スイッチである。このため、おでかけモードから通常モードに切り替わった直後のスイッチ部１１５の状態を、通常モードからおでかけモードに切り替わる直前のスイッチ部１１５の状態に戻すために、記憶部１１７に初期状態が記憶される。記憶部１１７は、例えば、フラッシュメモリを備える。
【０１１１】
また、図１１に示すように、スイッチ装置１２９は、電源部１２１、制御部１２２、無線通信部１２３、表示部１２４、スイッチ部１２５、操作部１２６に加え、記憶部１２７を備える。
【０１１２】
記憶部１２７は、通常モードからおでかけモードに切り替わる直前のスイッチ部１２５の状態を初期状態として記憶する。記憶部１２７は、例えば、フラッシュメモリを備える。
【０１１３】
以下、初期状態として、通常モードからおでかけモードに切り替わる直前のスイッチ部１１５やスイッチ部１２５の状態を採用する例について説明するが、初期状態はこの例に限定されない。例えば、初期状態として、予め定められた状態が採用されてもよい。この場合、通常モードへの復帰時や、電源投入時に、スイッチ部１１５やスイッチ部１２５は、この予め定められた状態に設定される。
【０１１４】
次に、図１２を参照して、電力供給制御システム１００３の基本的な機能について説明する。なお、以下では、電力供給制御システム１００３が、電力供給制御システム１００１や電力供給制御システム１００２と異なる部分について説明する。電力供給制御システム１００３は、第１スイッチ装置１１１０、第２スイッチ装置１２２０、制御装置１３００を備える。
【０１１５】
第１スイッチ装置１１１０は、第１スイッチ１１０１、第１操作受付部１１０２、第２操作受付部１１０３、第１制御部１１０４、送信部１１０５、第１記憶部１１０６を備える。第１スイッチ装置１１１０は、例えば、スイッチ装置１１９を備える。
【０１１６】
第１記憶部１１０６は、第１スイッチ１１０１の初期状態を示す第１初期状態情報を記憶する。第１記憶部１１０６は、例えば、記憶部１１７を備える。
【０１１７】
第２スイッチ装置１２２０は、第２スイッチ１２０１、受信部１２０２、第２制御部１２０３、第３操作受付部１２０４、第２記憶部１２０５を備える。第２スイッチ装置１２２０は、例えば、スイッチ装置１２９を備える。
【０１１８】
第２記憶部１２０５は、第２スイッチ１２０１の初期状態を示す第２初期状態情報を記憶する。第２記憶部１２０５は、例えば、記憶部１２７を備える。
【０１１９】
ここで、第２操作受付部１１０３は、初期状態への移行を指示する初期状態移行指示操作を受け付ける。なお、初期状態移行指示操作は、例えば、通常モードへの移行を指示する操作である。
【０１２０】
そして、第１制御部１１０４は、第２操作受付部１１０３により初期状態移行指示操作が受け付けられた場合、第１記憶部１１０６に記憶されている第１初期状態情報に基づいて、第１スイッチ１１０１の初期状態になるように第１スイッチ１１０１の状態を制御する。
【０１２１】
第２制御部１２０３は、受信部１２０２により受信された制御情報が初期状態移行指示操作に基づく制御情報である場合、第２記憶部１２０５に記憶されている第２初期状態情報に基づいて、第２スイッチ１２０１の初期状態になるように第２スイッチ１２０１の状態を制御する。
【０１２２】
また、第２操作受付部１１０３は、初期状態移行指示操作を受け付ける前に、特定状態への移行を指示する特定状態移行指示操作を受け付けることができる。特定状態移行指示操作は、例えば、おでかけモードへの移行を指示する操作である。
【０１２３】
ここで、第１制御部１１０４は、第２操作受付部１１０３により特定状態移行指示操作が受け付けられた場合、第１スイッチ１１０１の状態を示す情報を第１初期状態情報として第１記憶部１１０６に記憶するとともに、第１スイッチ１１０１の特定状態になるように第１スイッチ１１０１の状態を制御する。
【０１２４】
また、第２制御部１２０３は、受信部１２０２により受信された制御情報が特定状態移行指示操作に基づく制御情報である場合、第２スイッチ１２０１の状態を示す情報を第２初期状態情報として第２記憶部１２０５に記憶するとともに、第２スイッチ１２０１の特定状態になるように第２スイッチ１２０１の状態を制御する。
【０１２５】
次に、電力供給制御システム１００３の動作について具体的に説明する。以下、電力供給制御システム１００３の動作のうち、電力供給制御システム１０００の動作と異なる部分について説明する。
【０１２６】
まず、通常モードに設定されているときのスイッチ装置１１９の動作について説明する。なお、スイッチ装置１１９の動作は、基本的に、制御部１１２により実行される。
【０１２７】
制御部１１２は、ボタン１１６４が操作されて、おでかけモードを示す状態に切り替えられたことを検知した場合、スイッチ１１５１の状態とスイッチ１１５２の状態とを示す情報を第１初期状態情報として、記憶部１１７に記憶する。その後、制御部１１２は、スイッチ部１１５に接続されている全ての照明機器をオフにする。つまり、制御部１１２は、スイッチ１１５１の状態をオープン状態にして照明機器３１１をオフし、スイッチ１１５２の状態をオープン状態にして照明機器３１２をオフする。また、制御部１１２は、おでかけモードに移行した旨を、無線通信部１１３を介して、制御装置５００に通知する。
【０１２８】
次に、おでかけモードに設定されているときのスイッチ装置１１９の動作について説明する。
【０１２９】
制御部１１２は、ボタン１１６４が押圧操作されて、通常モードを示す状態に切り替えられたことを検知した場合、スイッチ１１５１の状態とスイッチ１１５２の状態とを、記憶部１１７に記憶されている第１初期状態情報により示される状態にする。その後、制御部１１２は、通常モードに移行した旨を、無線通信部１１３を介して、制御装置５００に通知する。
【０１３０】
次に、通常モードに設定されているときのスイッチ装置１４０の動作について説明する。
【０１３１】
スイッチ装置１４０は、制御装置５００からおでかけモードに移行する旨の通知を受けた場合、スイッチ１２５１に対応するスイッチの状態とスイッチ１２５２に対応するスイッチの状態とを示す情報を第２初期状態情報として、記憶部１２７に対応する記憶部に記憶する。その後、スイッチ装置１４０は、配電回路６４０に接続された照明機器３４１及び照明機器３４２への電力の供給を停止し、おでかけモードに移行する。
【０１３２】
次に、おでかけモードに設定されているときのスイッチ装置１４０の動作について説明する。
【０１３３】
スイッチ装置１４０は、制御装置５００から通常モードに移行する旨の通知を受けた場合、スイッチ１２５１に対応するスイッチの状態とスイッチ１２５２に対応するスイッチの状態とを、記憶部１２７に記憶されている第２初期状態情報により示される状態にする。その後、スイッチ装置１４０は、通常モードに移行する。
【０１３４】
本実施形態では、おでかけモードから通常モードに復帰する際に、記憶された情報に基づいて、スイッチの状態が初期状態に設定される。このため、本実施形態によれば、ユーザの利便性を高めることができる。
【０１３５】
より詳細には、本実施形態では、通常モードからおでかけモードに移行する際に、スイッチの状態を示す情報が記憶され、おでかけモードから通常モードに復帰する際に、記憶された情報に基づいて、スイッチの状態が再現される。従って、例えば、ユーザは、外出する際におでかけモードに設定することで、宅内の全ての照明機器を消灯させることができるとともに、帰宅した際に通常モードに設定することで、宅内の全ての照明機器の状態を外出時の状態に戻すことができる。
【０１３６】
なお、本実施形態では、初期状態として、予め定められた状態を採用することができる。かかる構成によれば、通常モードに設定されたときに、宅内の全ての照明機器を予め定められた状態にすることができる。例えば、ユーザが帰宅時に通常モードを設定した場合、宅内の照明機器のうち、玄関からリビングまでの照明機器を点灯させ、他の照明機器を消灯したままにすることができる。
【０１３７】
（変形例）
以上、本発明の実施形態を説明したが、本発明を実施するにあたっては、種々の形態による変形及び応用が可能である。
【０１３８】
本発明において、上記実施形態において説明した構成、機能、動作のどの部分を採用するのかは任意である。また、本発明において、上述した構成、機能、動作のほか、更なる構成、機能、動作が採用されてもよい。
【０１３９】
例えば、電力供給制御システム１０００は、制御装置５００を備えていなくてもよい。この場合、スイッチ装置１１０は、制御装置５００を介さずに、直接、スイッチ装置１２０、スイッチ装置１４０、ブレーカ４２０、ブレーカ４３０などと通信する。
【０１４０】
また、電力の供給が制御される電気機器は、照明機器に限定されないことは勿論である。なお、電力の供給が制御される電気機器は、電力の供給が停止されても誤動作などが少ない機器であることが望ましい。
【０１４１】
上記実施形態では、スイッチ装置１１０などがＬ相の導通状態のみを制御し、ブレーカ４２０などがＬ相の導通状態とＮ相の導通状態とを制御する例について説明した。本発明において、スイッチ装置１１０などがＬ相の導通状態とＮ相の導通状態とを制御し、ブレーカ４２０などがＬ相の導通状態のみを制御してもよいことは勿論である。
【０１４２】
上記実施形態では、配電回路６２０による電力の供給が、ブレーカ４２０により制御される例について説明した。本発明において、例えば、配電回路６２０による電力の供給が、スイッチ装置１２０により制御されてもよい。
【０１４３】
上記実施形態では、おでかけモードに設定された場合、宅内の全ての照明機器が消灯する例について説明した。本発明において、例えば、おでかけモードに設定された場合、特定の照明機器が消灯し、他の照明機器が点灯するようにしてもよい。また、全ての照明機器に関わる操作は、おでかけモードや通常モードへの切替操作に限定されないことは勿論である。
【０１４４】
本発明に係るスイッチ装置１１０や制御装置５００などの動作を規定する動作プログラムを既存のパーソナルコンピュータや情報端末装置に適用することで、当該パーソナルコンピュータ等を本発明に係るスイッチ装置１１０や制御装置５００などとして機能させることも可能である。
【０１４５】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【０１４６】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【０１４７】
本発明は、複数の電気機器に対する電力の供給を制御する電力供給制御システムに適用可能である。
【符号の説明】
【０１４８】
１１０、１１９、１２０、１２９、１３０、１４０  スイッチ装置、１１１、１２１  電源部、１１２、１２２、４２２  制御部、１１３、１２３  無線通信部、１１４、１２４  表示部、１１５、１２５、１３５、４２１  スイッチ部、１１６、１２６、１３６  操作部、１１７、１２７  記憶部、２００  電源、３１１、３１２、３２１、３２２、３３１、３３２、３４１、３４２  照明機器、４２０、４３０  ブレーカ、４２３  受信部、５００  制御装置、５０１  ＣＰＵ、５０２  ＲＯＭ、５０３  ＲＡＭ、５０４  フラッシュメモリ、５０５  ＲＴＣ、５０６  宅内インターフェース、５０７  宅外インターフェース、６１０、６２０、６３０、６４０  配電回路、１０００、１００１、１００２、１００３  電力供給制御システム、１１００、１１１０  第１スイッチ装置、１１０１  第１スイッチ、１１０２  第１操作受付部、１１０３  第２操作受付部、１１０４  第１制御部、１１０５  送信部、１１０６  第１記憶部、１１５１、１１５２、１２５１、１２５２、１３５１、１３５２、４２１１、４２１２  スイッチ、１１６１、１１６２、１１６３、１１６４、１２６１、１２６２、１２６３、１３６１、１３６２  ボタン、１２００、１２１０、１２２０  第２スイッチ装置、１２０１  第２スイッチ、１２０２  受信部、１２０３  第２制御部、１２０４  第３操作受付部、１２０５  第２記憶部、１３００  制御装置、１４００  第３スイッチ装置、１４０１  第３スイッチ、１４０２  第４操作受付部
【図１】
2015216767.tif 000003
【図２】
2015216767.tif 000004
【図３】
2015216767.tif 000005
【図４】
2015216767.tif 000006
【図５】
2015216767.tif 000007
【図６】
2015216767.tif 000008
【図７】
2015216767.tif 000009
【図８】
2015216767.tif 000010
【図９】
2015216767.tif 000011
【図１０】
2015216767.tif 000012
【図１１】
2015216767.tif 000013
【図１２】
2015216767.tif 000014